(57)【要約】【課題】  使用時にハンドルとブラシヘッドが分離することのない塗装工具の提供。【解決手段】  先端に球状部分を備えるハンドルと、平板状のブラシヘッドとを備え、前記ブラシヘッド上に凸台が形成され、前記凸台は、上面に球面状の窪み部を備え、前記ハンドルの前記球状部分が前記球面状の窪み部内に配され、前記凸台には、中心孔を備えるナットカバーが螺合し、これにより前記ハンドルの前記球状部分が前記ブラシヘッドに接続される平板塗装工具であって、前記ナットカバーが内部に座金を備えるとともに、該座金は底部から延出する固定支柱を更に備え、前記固定支柱が前記凸台の上面に形成される挿入接続孔に挿入並びに接続されることを特徴とする平板塗装工具である。【選択図】  図１
0003117608.tif 000002
【実用新案登録請求の範囲】
【請求項１】
先端に球状部分を備えるハンドルと、平板状のブラシヘッドとを備え、
前記ブラシヘッド上に凸台が形成され、
前記凸台は、上面に球面状の窪み部を備え、
前記ハンドルの前記球状部分が前記球面状の窪み部内に配され、
前記凸台には、中心孔を備えるナットカバーが螺合し、これにより前記ハンドルの前記球状部分が前記ブラシヘッドに接続される平板塗装工具であって、
前記ナットカバーが内部に座金を備えるとともに、該座金は底部から延出する固定支柱を更に備え、
前記固定支柱が前記凸台の上面に形成される挿入接続孔に挿入並びに接続されることを特徴とする平板塗装工具。
【請求項２】
係止板を更に備え、
該係止板の底面には塗布布が接着され、
前記ブラシヘッドが前記係止板の両側端部に配される巻き縁を介して、前記係止板に接続可能であることを特徴とする請求項１記載の平板塗装工具。
【請求項３】
前記ブラシヘッドの縁部に案内ローラーが配されることを特徴とする請求項１又は２記載の平板塗装工具。
【請求項４】
前記ブラシヘッドの横側面に切欠が形成され、
前記切欠の中間位置において、横梁が配され、
前記横梁上には弾性を有するとともに下方に突出する突起部が配され、
前記弾性を有する突起部に対応する場所において前記係止板に切欠が形成され、
前記弾性を有する突起部が、前記係止板に形成された前記切欠内に嵌合されることにより、前記ブラシヘッドと前記係止板が接続されることを特徴とする請求項１又は２記載の平板塗装工具。
【請求項５】
前記係止板の底部に、ナイロン毛が植毛された織布又はスポンジが接着された後、更にナイロン毛が接着された織布の複合布が接着され、
前記係止板の横断面が直角台形、等辺台形又は平行四辺形状に形成されることを特徴とする請求項４記載の平板塗装工具。
【考案の詳細な説明】
【技術分野】
【０００１】
本考案は液体状塗料を塗布表面に塗布することにより、この表面に対して塗布処理及び装飾を施すための塗装工具に関する。
【背景技術】
【０００２】
現在、表面装飾する分野において、技術発展は目覚しいものがあり、各種塗装は日増しに装飾の重要な要素となっている。今尚、取り扱いが簡単で且つ実用的な従来からの板ブラシは、塗装工程において、依然として代替することのできない地位を占めている。しかしながら、板ブラシを用いての塗装作業は、作業効率が低く、膨大な労力を要するものである。
従来の板ブラシはまた、油性ペイントや塗料が液だれするなどの問題も有する。
【０００３】
中国特許第０３２５５２７９．３号で開示される「自在平板塗装工具」は、浸漬できる塗料の量が多く、速い塗布速度が実現でき、また緻密かつ均一な施工が可能であるなどの利点を備える。
この発明は更に、手で持って使用するブラシとして、高級な衣服の表面の塵を取るためにも使用できる。この塗装工具は、そのハンドルとブラシヘッドの方向を随意に回動させることもできるため、使用者はその使用時に任意の位置及び角度で、容易に施工作業を行うことが可能である。
またスポンジとナイロンが植毛された複合布が使用されているため、スポンジに吸収された塗料或いは油性ペイントを、連続的に塗布対象面に塗布することができ、作業効率を向上できる。塗装面の隅や異なる色の境界面に塗布する際には案内ローラーを利用してもよい。
壁または定規を用いて該ローラーの軌道を設定すると、境界線を明確にして異なる色を塗布することができる。このようにして、塗布作業の良好な仕上がりが保証されるため、上記塗装工具は優れた塗装工具である言える。
【０００４】
【特許文献１】中国特許第０３２５５２７９．３号
【考案の開示】
【考案が解決しようとする課題】
【０００５】
しかしながら、上記工具においては、中心孔付きのナットカバーを用いてブラシヘッド上の凸台とハンドルの頭部を螺合することにより、ハンドルとブラシヘッドが接続されるが、該ナットカバーは、使用時に任意方向に回転可能であるため、容易にネジが緩むこととなる。結果としてハンドルがブラシヘッドから外れやすくなり、作業効率が低下するという問題点を有する。
本考案は、従来技術の以上のような欠陥及び不足点に鑑み、ハンドルとブラシヘッドの分離が起こることのない、装飾業のための新たな塗装工具を提供することを目的とする。
【課題を解決するための手段】
【０００６】
本考案は、先端に球状部分を備えるハンドルと、平板状のブラシヘッドとを備え、前記ブラシヘッド上に凸台が形成され、前記凸台は、上面に球面状の窪み部を備え、前記ハンドルの前記球状部分が前記球面状の窪み部内に配され、前記凸台には、中心孔を備えるナットカバーが螺合し、これにより前記ハンドルの前記球状部分が前記ブラシヘッドに接続される平板塗装工具であって、前記ナットカバーが内部に座金を備えるとともに、該座金は底部から延出する固定支柱を更に備え、前記固定支柱が前記凸台の上面に形成される挿入接続孔に挿入並びに接続されることを特徴とする平板塗装工具を提供する。
本考案は、係止板を更に備え、前記ブラシヘッドが底部に塗布布を更に備え、前記塗布布が前記係止板下面に接着されるとともに、前記係止板の両側端部に配される巻き縁を介して前記ブラシヘッドの両側縁部に係合されることを特徴とする平板塗装工具を提供する。
本考案は、前記ブラシヘッドの縁部に案内ローラーが配されることを特徴とする平板塗装工具を提供する。
本考案は、前記ブラシヘッドの横側面に切欠が形成され、前記切欠の中間位置において、横梁が配され、前記横梁上には弾性を有するとともに下方に突出する突起部が配され、前記弾性を有する突起部に対応する場所において前記係止板に切欠が開設され、前記弾性を有する突起部が、前記係止板に形成された前記切欠内に嵌合されることにより、前記ブラシヘッドと前記係止板が接続されることを特徴とする平板塗装工具を提供する。
本考案は、前記ブラシヘッドの横側面に切欠が形成され、前記切欠の中間位置において、横梁が配され、前記横梁上には弾性を有するとともに下方に突出する突起部が配され、前記弾性を有する突起部に対応する場所において前記係止板に切欠が開設され、前記弾性を有する突起部が、前記係止板に形成された前記切欠内に嵌合されることにより、前記ブラシヘッドと前記係止板が接続されることを特徴とする平板塗装工具を提供する。
本考案は、前記係止板の底部に、ナイロン毛が植毛された織布又はスポンジが接着された後、更にナイロン毛が接着された織布の複合布が接着され、前記係止板の横断面が直角台形、等辺台形又は平行四辺形状に形成されることを特徴とする平板塗装工具を提供する。
【考案の効果】
【０００７】
本考案の塗装工具は、浸漬できる塗料の量が多く、速い塗布速度が実現できると同時に、使用が容易である。また、本考案の塗装工具においては、ハンドルとブラシヘッドは堅固に接続され、接続箇所のネジが緩んで相互に分離することはない。よって、確実に施工作業を行うことが可能となる。
【考案を実施するための最良の形態】
【０００８】
図１、図３及び図４は本考案の一実施例を示す。
図示のごとく、ハンドル１は先端部に球状部分（３）を備える。ブラシヘッド（２）は平板状に形成され、その上部に円柱形状の凸台（９）が形成される。凸台（９）は中心部に球面状の窪み部（８）を備える。ハンドル（１）の球状部分（３）が凸台（９）の球面状の窪み部（８）内に配される。球状部分（３）は、中心部に孔を有するナットカバー（５）によって凸台（９）に螺合され、ハンドル（１）がブラシヘッドに接続される。
【０００９】
球状部分（３）は平板状のブラシヘッド（２）に対して任意の方向に回転可能である。ナットカバー（５）の下方には座金（４）が配される。座金（４）は、大径なる円板と小径なる円板を同心に重ね合わせた形状であり、大径なる円板部分はナットカバー（５）の内壁に嵌合され、小径なる円板部分はナットカバー（５）上面に形成された開口部の縁により嵌合される。
【００１０】
座金（４）は、座金（４）底部から下方に延出する複数の固定支柱（１３）を備える。固定支柱（１３）は、凸台（９）上面に形成される複数の挿入接続孔（１４）に挿入され、接続される。そして、ナットカバー（５）が凸台（９）と螺合される。結果として、球状部分（３）は球面状の窪み部（８）内に回転可能に固定されるとともにナットカバー（５）のネジが緩んでハンドル（１）が、ブラシヘッド（２）から外れることが防止される。
【００１１】
ハンドル（１）を節ごとに分けて形成し、該節同士をネジで接続してもよい。この場合、必要に応じてハンドル（１）の長さ調節することが可能となる。またハンドル（１）のグリップに柔軟性を有するグリップカバーを配して、グリップ感を向上させることも可能である。
【００１２】
複合布（１２）を、柔軟性を有する係止板（１０）上に貼付する。複合布（１２）としては、ナイロン毛が植毛された織布、スポンジが埋め込まれた織布とナイロン毛が植毛された織布とを接着剤で接着した複合布、これら織布と複合布を合わせて形成される複合布が挙げられる。尚、本実施例においては、スポンジが埋め込まれた織布とナイロン毛が植毛された織布とを接着剤で接着した複合布を用いる。係止板（１０）は平板状のブラシヘッド（２）に適した幅を有する。
【００１３】
係止板（１０）の両側縁部は巻き縁（１１）を備える。該巻き縁（１１）を介して係止板（１０）はブラシヘッド（２）の両側縁部と係合する。本実施例における平板状ブラシヘッド（２）の縁部近傍には、該縁部に対して平行に一対の案内ローラー（７）が配される。ブラシヘッド（２）は案内ローラー（７）が配置される部分において、上方に隆起する隆起部（６）を備える。該ブラシヘッド（２）の上面と案内ローラー（７）を接続する軸は、案内ローラー（７）の中心孔に嵌合される。これにより、案内ローラー（７）は隆起部（６）により形成される空間内に固定される。
【００１４】
図２乃至図４は本考案の別の実施例を示す。
図示のごとく、平板状ブラシヘッド（２）の両側縁部が係止板（１０）の両方の側端部に配される巻き縁（１１）に挿入されることにより接続或いは係合される。係止板（１０）の底部に接着される塗布布はナイロン毛が植毛された織布またはスポンジとナイロン毛が取り付けられた織布を接着剤で接着した複合布（１２）としてもよい。
【００１５】
係止板（１０）とブラシヘッド（２）との接続の強度を高めるため、ブラシヘッド（２）の側面には切欠（１５）が配される。切欠（１５）を横切るように横梁（１７）が配される。横梁（１７）には、ブラシヘッド（２）の下面に対して若干下方に突出するとともに弾性を有する突起部（１６）が配される。突起部（１６）は、平板状の基台部と該基台部から上方に突出する取付部を備え、該取付部は二股に分岐する形状を有する。この取付部が横梁（１７）を挟み、突起部（１６）は横梁（１７）に取付けられる。
【００１６】
弾性を有する突起部（１６）は、係止板（１０）上に配される切欠（１８）と嵌合する。係止板（１０）両側の巻き縁がブラシヘッド（２）の両側縁部に挿入されると、横梁（１７）はその比較的細い形状並びにある程度の弾性を備えるため、弾性突起（１６）は係止板（１０）の切欠（１８）内に嵌合される。これにより、塗布布を備える係止板（１０）が塗装作業時に左右に摺動することが防止される。
【００１７】
本実施例におけるブラシヘッド（２）の側面側には案内ローラー（７）は配されていない。塗布布としてナイロン毛またはスポンジとナイロン毛が植毛された複合布が接着された係止板（１０）は、横断面が直角台形状に形成されてもよい。この場合ナイロン毛が植毛された複合布（１２）は平板状（図２を参照）に形成される。この場合、使用時には前後方向に塗布することができる。係止板（１０）はまた、横断面が等辺台形状に形成されてもよい。係止板（１０）の横断面を、逆台形状（図３を参照）に形成とすると、比較的平滑な表面に対して、前後または左右に塗布を行うことができる。更に該横断面を、平行四辺形状に形成してもよい。この場合、ナイロン毛が植毛された複合布（１２）は片側が反り返るため、（図４を参照）、一方方向での塗装に適している。
【００１８】
本考案の塗装工具の使用時には、ブラシヘッド（２）に複合布（１２）が装着された塗布面を塗料または油性ペイントが入ったタンクに入れ、油性ペイント、塗料をスポンジ層に滲入させた上で、ハンドルを持ち上げると塗料、油性ペイントを塗装表面上に連続的に塗布することが可能となる。案内ローラー（７）を壁際に当接させて床面を塗布する際には、平行移動に伴って直線的且つ明瞭な境界面が得られるように塗布を行うことが可能である。特に平面を色分けして塗装する必要がある場合には、定規に当接させて該定規を案内ローラー（７）の軌道とすることにより、平板ブラシは定規に沿って前進するため、境界線が明瞭な塗装境界面を実現することが可能となる。
【産業上の利用可能性】
【００１９】
本考案は、塗装作業に好適に適用される。
【図面の簡単な説明】
【００２０】
【図１】図１は本実用新案の塗装工具の一実施形態を表す斜視図である。
【図２】図２は本実用新案の塗装工具の別の実施形態を表す斜視図である。
【図３】図３は図１、図２内においてナイロン毛が植毛された複合布を使用した係止板の構造見取図である。
【図４】図４は図１、図２内においてナイロン毛が植毛された複合布を使用した係止板の別の構造見取図である。
【符号の説明】
【００２１】
１・・・・・・・ハンドル
２・・・・・・・ブラシヘッド
４・・・・・・・座金
５・・・・・・・ナットカバー
８・・・・・・・窪み部
９・・・・・・・凸台
１３・・・・・・固定支柱
１４・・・・・・挿入接続孔
【図１】
0003117608.tif 000003
【図２】
0003117608.tif 000004
【図３】
0003117608.tif 000005
【図４】
0003117608.tif 000006